(57)【要約】【課題】  湿度によって湯気の発生を判別し、誤報を防止できる火災感知器を得る。【解決手段】  火災現象検出手段と、該火災現象検出手段の検出出力が火災判別基準に達したか否かを判別する火災判別手段と、を備えた火災感知器において、前記火災現象検出手段の存在する雰囲気の湿度を検出する湿度検出手段と、該湿度検出手段により検出された湿度に基づいて湿度の上昇率を判別する湿度上昇判別手段と、該湿度上昇判別手段による湿度の上昇率に応じて前記火災判別手段の火災判別基準を設定する火災判別基準設定手段と、を備えている。湯気の発生（到来）を、湯気の発生とともに上昇する湿度の上昇率によって判別し、湯気による誤報の発生を防止することを可能とする。【選択図】  図１
2005250986.tif 000002
【特許請求の範囲】
【請求項１】
火災現象検出手段と、該火災現象検出手段の検出出力が火災判別基準に達したか否かを判別する火災判別手段と、を備えた火災感知器において、
前記火災現象検出手段の存在する雰囲気の湿度を検出する湿度検出手段と、
該湿度検出手段により検出された湿度に基づいて湿度の上昇率を判別する湿度上昇判別手段と、
該湿度上昇判別手段による湿度の上昇率に応じて前記火災判別手段の火災判別基準を設定する火災判別基準設定手段と、
を備えていることを特徴とする火災感知器。
【請求項２】
火災現象検出手段と、該火災現象検出手段の検出レベルが火災判別基準に達したか否かを判別する火災判別手段と、を備えた火災感知器において、
前記火災現象検出手段の存在する雰囲気の湿度を検出する湿度検出手段と、
該湿度検出手段により検出された湿度に基づいて、環境中の湿度としての湿度の基準値を判定し、該湿度の基準値に対する現在の湿度から湿度の上昇率を判別し、かつ、該湿度の上昇率を、前記湿度の基準値の高低に基づいて、高いときには大きくまたは低いときには小さく判別する湿度上昇判別手段と、
該湿度上昇判別手段による湿度の上昇率に応じて前記火災判別手段の火災判別基準を設定する火災判別基準設定手段と、
を備えていることを特徴とする火災感知器。
【請求項３】
火災判別基準設定手段が設定する火災判別基準は、火災判別レベルおよび蓄積時間、またはいずれか一方である請求項１または２の火災感知器。
【請求項４】
火災現象検出手段は、暗箱内において、発光素子からの発光に基づく受光素子の出力を検出レベルとするとともに、火災判別手段は、前記検出レベルから煙を検出することで火災を判別するものであって、
かつ、湿度検出手段は、前記暗箱内に湿度センサを配置して、前記暗箱内の雰囲気の湿度を検出するものである請求項１または２の火災感知器。
【請求項５】
湿度上昇判別手段は、湿度の基準値に対する現在の湿度と湿度の基準値に対する湿度の飽和値との割合から、湿度の基準値の高低を加味した湿度の上昇率とする請求項２の火災感知器。
【発明の詳細な説明】
【技術分野】
【０００１】
この発明は、火災感知器に関する。
【背景技術】
【０００２】
従来、一般の建物には自動火災報知設備が設置され、建物の各部に複数の火災感知器が配置され、それらを集中監視する火災受信機が火災信号を受信して必要なエリアあるいは全館に火災警報を鳴動する。
【０００３】
このような火災感知器は、火災を感知するために熱、煙または炎等を検出しており、これらいずれかの検出レベルが上昇するときに火災と判別することとなる。しかし、これらの検出対象は必ずしも火災によって発生するとは限らず、そのため、誤報を発生しないように、各火災感知器を配置する必要がある。
【０００４】
また、こういった誤報源として、湯気を煙として検出することがあり、例えば、ホテルにおいて浴室から一気に個室内の天井面に広がるときに、火災感知器が誤動作することがある。この対策として、ファジーシステムを用いて実火災と非火災の判別を行おうとするものがあり、検出対象を複数要素とするとともに、非火災として喫煙や湯気の場合の事例からメンバーシップ関数を設定することが提案されている（例えば、特許文献１参照）。
【特許文献１】特開平６−３０１８７０号公報
【発明の開示】
【発明が解決しようとする課題】
【０００５】
このような、火災を複数要素で監視してファジーシステムによる複雑な処理を行うことは火災感知器が高価となるとともに、大型化することは避けられず、扱い難いものとなってしまう。実際の建物では、各部に用途があって誤報要因は特定されやすいことから、湯気が発生するところに湯気対策を行うことが簡便である。
【０００６】
したがって、この発明では、湯気の発生を判別できる火災感知器を得ることを目的としている。
【課題を解決するための手段】
【０００７】
この発明の請求項１に係る火災感知器は、火災現象検出手段と、該火災現象検出手段の検出出力が火災判別基準に達したか否かを判別する火災判別手段と、を備えた火災感知器において、前記火災現象検出手段の存在する雰囲気の湿度を検出する湿度検出手段と、該湿度検出手段により検出された湿度に基づいて湿度の上昇率を判別する湿度上昇判別手段と、該湿度上昇判別手段による湿度の上昇率に応じて前記火災判別手段の火災判別基準を設定する火災判別基準設定手段と、を備えていることを特徴とするものである。
【０００８】
また、この発明の請求項２に係る火災感知器は、火災現象検出手段と、該火災現象検出手段の検出レベルが火災判別基準に達したか否かを判別する火災判別手段と、を備えた火災感知器において、前記火災現象検出手段の存在する雰囲気の湿度を検出する湿度検出手段と、該湿度検出手段により検出された湿度に基づいて、環境中の湿度としての湿度の基準値を判定し、該湿度の基準値に対する現在の湿度から湿度の上昇率を判別し、かつ、該湿度の上昇率を、前記湿度の基準値の高低に基づいて、高いときには大きくまたは低いときには小さく判別する湿度上昇判別手段と、該湿度上昇判別手段による湿度の上昇率に応じて前記火災判別手段の火災判別基準を設定する火災判別基準設定手段と、を備えていることを特徴とするものである。
【０００９】
さらに、この発明の請求項３に係る火災感知器は、火災判別基準設定手段が設定する火災判別基準は、火災判別レベルおよび蓄積時間、またはいずれか一方であり、また、この発明の請求項７に係る火災感知器は、火災現象検出手段は、暗箱内において、発光素子からの発光に基づく受光素子の出力を検出レベルとするとともに、火災判別手段は、前記検出レベルから煙を検出することで火災を判別するものであって、かつ、湿度検出手段は、前記暗箱内に湿度センサを配置して、前記暗箱内の雰囲気の湿度を検出するものである。
【００１０】
また、この発明の請求項５に係る火災感知器は、湿度上昇判別手段は、湿度の基準値に対する現在の湿度と湿度の基準値に対する湿度の飽和値との割合から、湿度の基準値の高低を加味した湿度の上昇率とするものである。
【発明の効果】
【００１１】
請求項１に係る火災感知器では、湯気の発生（到来）を、湯気の発生とともに上昇する湿度の上昇率によって判別し、湯気による誤報の発生を防止することを可能とする。
【００１２】
請求項２に係る火災感知器では、湯気の発生（到来）を、湯気の発生とともに上昇する湿度の上昇率によって判別するとともに、環境中の湿度の高低に基づく設置環境の湿度状態を加味して、湯気による誤報の発生を防止することを可能とする。
【００１３】
請求項３に係る火災感知器では、誤報を防止するため、火災判別レベルや蓄積時間を湿度の上昇率によって調整すればよく、また、請求項４に係る火災感知器では、暗箱内に湿度センサを配置することで、出力レベルに対する湿度検出の応答性がよくなる。
【００１４】
請求項５に係る火災感知器では、湿度が飽和値以上に上がらないことから、飽和値に対する割合によって湿度の上昇率を判別し、環境の湿度レベルに対して湿度上昇の立ち上がりを捉えやすい。
【発明を実施するための最良の形態】
【００１５】
実施形態１
図１は、本発明の一実施形態である火災感知器１を示すブロック回路図である。
【００１６】
図１において、マイコン（マイクロコンピュータ）１０は、火災感知器１の全体を制御するものであり、ＲＯＭ２０は、図４に示すフローチャートのプログラムが格納されているものであり、ＲＡＭ２１は、作業領域であり、湿度データＨ、湿度平均値Ｈav、湿度上昇率ΔＨ、湿度の段階Ｓｈ、煙検出データＡＤ、蓄積時間Ｃ等を記憶するもので
ある。
【００１７】
ＥＥＰＲＯＭ２２は、火災判別基準としてそれぞれ複数段階の判別レベルＬｈおよび蓄積限界値Ｔｈ、湿度飽和レベルＨｓ等を記憶するものである。
【００１８】
発光回路３０は、マイコン１０から発光制御パルスを受けたときに発光素子３１に発光用の電流パルスを供給するものであり、増幅回路４０は、受光素子４１の出力レベルを所定のゲインで増幅するものである。信号出力回路５０は、マイコン１０から図示しない受信機に火災信号あるいは煙の物理量信号等の信号を送出するものである。また、確認灯５１は、図１に示す火災感知器１が火災検出したときに点灯するものであり、定電圧回路６０は、マイコン１０に定電圧を供給する回路である。
【００１９】
湿度検出部７０は、火災感知器１の図２に示す暗箱８４内部の湿度を検出するものであり、図１に示すように、湿度に応答する高分子を利用した湿度センサ７１、サーミスタ７２および出力回路７３で構成されている。
【００２０】
なお、発光回路３０および増幅回路４０は、火災現象検出手段の例である。マイコン１０は、火災判別手段の例である。また、湿度検出部７０は、湿度検出手段の例であり、マイコン１０は、湿度上昇判別手段および火災判別基準設定手段の例でもある。
【００２１】
図２は、本発明の一実施形態である火災感知器１のベース２に嵌合された状態での縦断面図、図３は、火災感知器１のうち、暗箱８４内を示す横断面図である。
【００２２】
図２において、火災感知器１の本体は、基台８１および裏カバー８２により外形が形成され、その内部に、図示しないがマイコン等の回路素子が搭載されたプリント基板８３が配置されている。そして、暗箱８４内にプリント基板８３に接続された発光素子３１および受光素子４１が設けられ、さらに、湿度センサ７１が設けられている。
【００２３】
この暗箱８４の構造は、図３に示されるように、円筒状に形成される複数の壁８５によるラビリンス構造によって外光を遮断すると同時に、外気とともに煙の流入を可能とする通路が形成されており、その内部に、発光素子３１および受光素子４１が対向しない位置に配置されて、受光素子４１は、発光素子３１からの光を直接受光せず、暗箱８４内に進入してきた煙の粒子による散乱光を受光するようにされている。
【００２４】
そして、湿度センサ７１は、この暗箱８４内に配置されることにより、煙ではなく湯気がこの暗箱８４に進入して受光素子４１が散乱光を検出するときに、同時に湿度センサ７１が高い湿度を検出することができる。このように、湿度センサ７１の配置を暗箱８４内の受光素子３１の視野外で煙検出エリア８６の面に寝かせるように配置することで、煙検出の邪魔にならず、湯気による受光素子４１の出力に応答する湿度出力が可能となる。
【００２５】
次に、上記実施形態の動作について説明する。
【００２６】
図４は、上記実施形態において、マイコン１０が実行する動作を示すフローチャートである。
【００２７】
まず、電源投入時のイニシャル処理を行い（Ｓ１）、サンプリング周期（例えば約３秒）を取る、図示しないＣＲ回路（または発振回路等）によるタイムアップ時に（Ｓ２）、詳細に説明しないが、受光素子４１の増幅回路４０等の常時通電していないところに電源供給を行い（Ｓ３）、各種データ取込みの準備をする。ここで、増幅回路４０等にサンプリング時のみ通電するのは消費電流を低減させるためである。
【００２８】
そして、マイコン１０は、湿度検出部７０からの出力を湿度データＨとしてＡ／Ｄ変換して取込み（Ｓ４）、湿度の基準レベルとしての湿度平均値Ｈavを算出する（Ｓ５）。この湿度平均値Ｈavは、ＲＡＭ２１に所定時間として過去１分間分の湿度データＨを記憶しておき（約３秒周期として２０個分）、その平均値を算出し、湿度平均値Ｈavとする。この湿度平均値Ｈavは、所定時間の平均なので、湯気が発生してもすぐに上昇せず、安定した環境中の湿度としての数値を示すことができる。そのため、例えば夏期には高く、冬期には低い値となる。
【００２９】
つぎに、湿度上昇率ΔＨを算出する（Ｓ６）。この湿度上昇率ΔＨは、上記の湿度平
均値Ｈavに対する最新の湿度データＨとの差分であってもよいが、湿度平均値Ｈavが季節によって高低があり、そのレベルによって湯気の影響の大小がある。このことから、ＥＥＰＲＯＭ２２に湿度が飽和する状態での湿度データＨに相当する湿度飽和レベルＨｓを記憶しておき、環境中の湿度としての湿度平均値Ｈavから湿度飽和レベルＨｓまでの差に対して現在の湿度データＨがどこまで上昇したかという割合を、湿度上昇率ΔＨとしている。そのため、環境中の湿度が高い状態での湯気による小さい目の湿度上昇と、環境中の湿度が低い状態での湯気による大きい目の湿度上昇とを共通に判別することができる。
【００３０】
つぎに、湿度上昇率ΔＨに対する湿度の段階Ｓｈを判定してＲＡＭ２１に記憶する（
Ｓ７）。ここでいう湿度の段階Ｓｈとは、湯気のない状態から湯気が確実にある状態までをステップ分けするものであり、湿度上昇率ΔＨに基づいて例えば３段階に分けるこ
とができる。このような手順（Ｓ４からＳ７まで）で湿度検出部７０からの出力に基づいて湯気の存在を判別している。
【００３１】
そして、発光回路３０をトリガしてサンプルホールド回路２２の出力をＡ／Ｄ変換して煙検出データＡＤを取込み（Ｓ８）、ＲＡＭ２１に格納した後、ＲＡＭ２１内に記憶した湿度の段階Ｓｈに対応する火災判別レベルＬｈを読み出して（Ｓ９）、煙検出データＡＤと火災判別レベルＬｈと対比する（Ｓ１０）。通常状態では、火災判別レベルＬｈは例えば５％／ｍであり、煙検出データＡＤは火災判別レベルＬｈを越えない。そして、蓄積時間を「０」にリセットして（Ｓ１１）、詳細に説明しないが、マイコン１０はストップ状態（またはスリープ状態）となり、周期を取って、つぎのタイムアップのときに（Ｓ２）、起動することとなる。
【００３２】
次に火災発生時について説明すると、図４のフローチャートにおけるサンプルホールド回路２２の出力をＡ／Ｄ変換して取込んだ煙検出データＡＤが、火災の発生に基づいて大きな値となってくる（Ｓ８）。すると、火災判別レベルＬｈとの対比で煙検出データの方が大きくなり（Ｓ１０）、蓄積時間Ｃをカウントすることとなる（Ｓ１２）。
【００３３】
そして、ＲＡＭ２１内に記憶されている湿度の段階Ｓｈに相当する蓄積限界値Ｔｈを蓄積時間Ｃが超えなければ（Ｓ１４）、マイコン１０は通常状態と同様にストップ状態となり、タイムアップ（Ｓ２）を待つようになる。そして、この煙検出データＡＤが火災判別レベルＬｈを超える状態が継続することで蓄積時間Ｃが増大していき（Ｓ１２）、通常状態では約１０秒から５０秒程度の所定値に設定される蓄積限界値Ｔｈを、蓄積時間Ｃが超えるときに、マイコン１０は火災と判別して（Ｓ１４）、火災発報動作を行う（Ｓ１５）。この火災発報動作について、マイコン１０は、信号出力回路５０を起動してスイッチング動作させて、信号線を介して図示しない火災受信機に火災信号を出力とともに、確認等５１を点灯制御して、火災感知器１が火災を検出したことを表示する。なお、この火災発報動作については、火災報知設備として必要な動作が行われ、その設備に応じて動作は異なってくる。
【００３４】
次に湯気の発生と同時に高い湿度が検出される場合について説明すると、図４のフローチャートにおいて、湿度検出部７０から取込んだ湿度データＨが高い値となり（Ｓ４）、湿度平均値Ｈavの算出の後に（Ｓ５）算出される湿度上昇率ΔＨが大きくなり（Ｓ
６）、その結果、湿度上昇率ΔＨに対する湿度の段階Ｓｈは湯気が存在するような段階
としてＲＡＭ２１に記憶される（Ｓ７）。
【００３５】
そして、湯気が発生していると、火災による煙の場合と同様、サンプルホールド回路２２の出力をＡ／Ｄ変換して取込んだ煙検出データＡＤが大きな値となってくるが（Ｓ８）、煙検出データＡＤと火災判別レベルＬｈとの対比において（Ｓ１０）、ＲＡＭ２１に記憶されている湿度の段階Ｓｈが高い段階にあると、火災判別レベルＬｈも高いレベル（例えば、通常状態の１．５倍）に設定され（Ｓ９）、簡単に火災判別レベルＬｈを越えないように設定される。まず、この煙検出データＡＤと火災判別レベルＬｈとの対比の段階で、湯気により火災と判別しにくいようになっている。
【００３６】
そして、湯気による煙検出データＡＤが通常より高い火災判別レベルＬｈを超えたとしても、ＲＡＭ２１内に記憶されている高い湿度の段階Ｓｈに相当する蓄積限界値Ｔｈが、火災判別レベルＬｈと同様に長い時間（例えば、通常状態の１．５倍）に設定され（Ｓ１３）、蓄積時間Ｃが蓄積限界値Ｔｈを簡単に超えないように設定される。このように、火災判別レベルＬｈと同様に、蓄積時間Ｃと蓄積限界値Ｔｈとの対比の段階でも、湯気により火災と判別しにくいようにされている。
【００３７】
このように、火災判別基準である火災判別レベルＬｈや蓄積限界値Ｔｈを火災と判別しにくく設定させることによって、湯気による誤報を防止するものであるが、湯気の発生と火災との同時発生が考えられることから、湿度データに基づく火災発報を全く禁止することとはしていない。このような火災判別基準の設定は火災判別レベルＬｈまたは蓄積限界値Ｔｈのいずれかであってもよく、その場合、双方を用いる場合よりも傾向を顕著とする必要がある。なお、湯気について、誤報要因としては一過性の場合がほとんどであり、湯気を持続させることはむずかしい。そのため、判別レベルの設定や蓄積の冗長によって判別までの時間をかけ、誤報を防止できる。
【００３８】
以上、火災感知器１として煙を検出する場合についての湯気対策に関して説明してきたが、必ずしも煙でなくてもよく、熱を検出する場合にも湯気に伴う熱気から誤報が発生することもあり、熱感知器の場合にも、同様に火災判別基準を変更して湯気による誤報を防止することができる。
【００３９】
また、湿度検出部７０からの湿度データＨに基づいて湿度の段階Ｓｈを多段に設定しているが、単に湿度対策の要否として、通常の火災判別レベルおよび蓄積限界値、湿度検出時の火災判別レベルおよび蓄積限界値を切り換えるようにしても良い。
【００４０】
このような、火災の検出に基づいて火災信号を出力する火災感知器１に対して、検出した煙濃度等をコード化してアナログデータとして火災受信機に伝送出力する、いわゆるアナログ式の火災感知器がある。アナログ式の火災感知器の場合には、自分で火災判別を行わないが（この場合、火災受信機側で行う）、このアナログデータとしての煙濃度を、湿度上昇率が大きいときに、検出レベルの２／３にレベルダウンして送出することによって、火災判別基準（この場合、判別レベル）を設定することに相当する。また、湿度上昇発生直前の煙濃度を蓄積時間の延長に相当する所定時間にわたり送出することも火災判別基準を設定することに相当する。さらに、このようなアナログ式に限らず、火災信号を送出する場合にも、単に所定時間にわたりゼロのレベルの送出あるいは火災信号出力の停止を行い、その後の状態で信号送出する停止手段であっても、湯気による誤報の発生を防止することができる。
実験例
次に、火災感知器１に対する湯気の影響についての実験例を説明する。
【００４１】
図５は、実験方法に関する説明図であり、また、図６は実験に基づく出力を示すグラフである。
【００４２】
図５において、火災感知器１は、図示しないが、筐体の内部と外部に湿度センサを設けてあり、内部の湿度センサについては、図２および図３のように、暗箱８４内に湿度センサ７１が取り付けている。この火災感知器１は、机９６の上面から斜めに形成された板状の取付台９７に設置され、その下方に、スチーム式の加湿器９８が配置されている。そして、加湿器９８の上方に位置する火災感知器１を遮るように、引き出し９９が配置され、その引き出し９９が出し入れできるようになっている。
【００４３】
この火災感知器１の煙検出出力および両湿度センサの出力は、それぞれ図示しないロガーに接続されてデータが採取できるようにされている。
【００４４】
そして、加湿器９８から発生する湯気を、火災感知器１に作用させてそのデータを記録するわけであるが、加湿器９８をスタートさせて１０秒後に引き出し９９を机９６に収容し、火災感知器１に湯気を印加した。なお、実験の環境における気温は約２２℃、湿度は３０％であった。
【００４５】
図６において、縦軸は左側が両湿度センサの出力、右側が火災感知器１の煙検出出力であって、横軸は経過時間であり、曲線Ａが火災感知器１の外側の湿度センサの出力、曲線Ｂが火災感知器１の暗箱８４内の湿度センサの出力、そして、曲線Ｃが火災感知器１の煙検出出力である。このグラフにおける経過時間１０秒の時点で、引き出し９９を机９６に収納し、湯気を火災感知器１に印加した。
【００４６】
その結果、曲線Ｃを見ると、湯気の印加後約１０秒で火災感知器１の煙検出出力が立ち上がっており、湯気によって誤報が生じさせることができることが理解できる。そして、この湯気による煙検出出力の立ち上がりと同様に、曲線Ａも曲線Ｂも急激に立ち上がっているが、暗箱８４内と外部という配置の違いから、曲線Ａに比べて曲線Ｂの立ち上がり位置がほぼ一致しており、この結果からは、湯気による煙検出出力の上昇とともに、湿度も上昇することが確認でき、煙検出出力との応答性の関係で、暗箱８４内で湿度を検出することが好ましいことが理解できる。
【図面の簡単な説明】
【００４７】
【図１】この発明の実施形態１を示す火災感知器のブロック回路図。
【図２】図１の火災感知器の縦断面図。
【図３】図１の火災感知器の暗箱内を示す横断面図。
【図４】図１の火災感知器の動作を示すフローチャート。
【図５】この発明の実験例に関する説明図。
【図６】この発明の実験例に基づくデータを示すグラフ。
【符号の説明】
【００４８】
１    火災感知器
１０  マイコン
３０  発光回路
４０  増幅回路
７０  湿度検出部
７１  湿度センサ
８４  暗箱
【図１】
2005250986.tif 000003
【図２】
2005250986.tif 000004
【図３】
2005250986.tif 000005
【図４】
2005250986.tif 000006
【図５】
2005250986.tif 000007
【図６】
2005250986.tif 000008